(57)【要約】【課題】メモリの節減効果を高めるとともに、自動的に３次元Ｙ／Ｃ分離と３次元ノイズリダクションを切り換え、高品質な画像を得ることができる映像処理装置を提供する。【解決手段】チューナ１と、ＡＧＣアンプ２と、ＮＴＳＣ復調器３と、Ａ／Ｄ変換器４と、画質向上ブロック５と、ビデオ処理ブロック６とを備えた映像処理装置において、入力される映像信号の品質を、ＡＧＣ制御信号のレベルに基づいて検出し、当該レベルに応じて、３次元Ｙ／Ｃ分離と３次元ノイズリダクションとの切り換えが自動的に行なわれる。３次元Ｙ／Ｃ分離と３次元ノイズリダクションとに使用するビデオメモリ８が共通化されており、ビデオメモリ８はフレームメモリからなる。【選択図】図１
2008227853.tif 000002
【特許請求の範囲】
【請求項１】
ＲＦ信号が入力され、当該ＲＦ信号をＩＦ信号に変換するチューナと、
前記チューナからのＩＦ信号が入力されるＡＧＣアンプと、
前記ＡＧＣアンプからの出力信号が入力されるＮＴＳＣ復調器と、
前記ＮＴＳＣ復調器からのコンポジットビデオ信号が入力されるＡ／Ｄ変換器と、
前記Ａ／Ｄ変換器からの出力信号が入力される画質向上ブロックと、
前記画質向上ブロックからの出力信号が入力され、当該出力信号を表示可能な映像に処理するビデオ処理ブロックと、
を備えた映像処理装置において、
入力される前記ＲＦ信号の品質を、ＡＧＣ制御信号のレベルに基づいて検出し、
当該レベルに応じて、３次元Ｙ／Ｃ分離と３次元ノイズリダクションとの切り換えが自動的に行なわれ、
３次元Ｙ／Ｃ分離と３次元ノイズリダクションとに使用するビデオメモリが共通化されており、
前記ビデオメモリが、フレームメモリであることを特徴とする映像処理装置。
【請求項２】
ＲＦ信号が入力され、当該ＲＦ信号をＩＦ信号に変換するチューナと、
前記チューナからのＩＦ信号が入力されるＡＧＣアンプと、
前記ＡＧＣアンプからの出力信号が入力されるＮＴＳＣ復調器と、
前記ＮＴＳＣ復調器からのコンポジットビデオ信号が入力されるＡ／Ｄ変換器と、
前記Ａ／Ｄ変換器からの出力信号が入力される画質向上ブロックと、
前記画質向上ブロックからの出力信号が入力され、当該出力信号を表示可能な映像に処理するビデオ処理ブロックと、
を備えた映像処理装置において、
入力される前記ＲＦ信号の品質に応じて、３次元Ｙ／Ｃ分離と３次元ノイズリダクションとの切り換えが自動的に行なわれ、
３次元Ｙ／Ｃ分離と３次元ノイズリダクションとに使用するビデオメモリが共通化されていることを特徴とする映像処理装置。
【請求項３】
請求項２に記載の映像処理装置において、
前記ＲＦ信号の品質は、ＡＧＣ制御信号のレベルに基づいて検出されることを特徴とする映像処理装置。
【請求項４】
請求項２または請求項３に記載の映像処理装置において、
前記ビデオメモリは、フィールドメモリであることを特徴とする映像処理装置。
【発明の詳細な説明】
【技術分野】
【０００１】
本発明は、映像処理装置に関し、より詳細には３次元Ｙ／Ｃ分離と３次元ノイズリダクションとを自動的に切り換える映像処理装置に関する。
【背景技術】
【０００２】
テレビにおけるＮＴＳＣ（National Television System Committee）方式などの映像信号を送信する際には、伝送効率を上げるとともに、機器の構成を効率化するため、輝度信号（Ｙ）と色信号（Ｃ）とを合成したコンポジットビデオ信号（ＣＶＢＳ）が使われている。
コンポジットビデオ信号が使われる場合、受信側において、映像信号から輝度信号と色信号を分離する必要があり、その分離方法として、Ｙ／Ｃ分離が使用される。
【０００３】
Ｙ／Ｃ分離には、１次元Ｙ／Ｃ分離、２次元Ｙ／Ｃ分離、３次元Ｙ／Ｃ分離がある。１次元Ｙ／Ｃ分離は、単純に周波数で分離を行なうのみであり、２次元Ｙ／Ｃ分離では、映像信号から、輝度信号（Ｙ）と色信号（Ｃ）に分離する際、走査線のライン相関を利用して、上下のラインの比較により輝度信号と色信号を分離する。この２次元Ｙ／Ｃ分離に時間軸を加えて、前後のフレーム間で同じ位置にあるラインの信号を比較するのが、３次元Ｙ／Ｃ分離である。
【０００４】
この３次元Ｙ／Ｃ分離によると、高精度に輝度信号と色信号との分離を行なうことができ、１次元Ｙ／Ｃ分離や２次元Ｙ／Ｃ分離の場合に発生するクロスカラー（斜めの線などの細かい映像に発生する色のノイズ）やドット妨害（色の輪郭に発生する網目状のノイズ）を低減することができる。
この３次元Ｙ／Ｃ分離は、連続した２フレームを比較することを行なうので、メモリに入れられた前フレームと、現在のフレームとを比較する必要がある。したがって、３次元Ｙ／Ｃ分離ではフレームメモリ（ビデオメモリ）が必要である。
【０００５】
一方、受信状態が悪い場合など、入力される映像信号自体のノイズが大きい場合は、３次元Ｙ／Ｃ分離を行なっても、画質はほとんど向上しない。そのため、３次元ＮＲ（ノイズリダクション）回路が設けられる。
３次元ＮＲは、横方向、縦方向の加算平均に時間軸を加え、前フレームと現在のフレームとを平均化することによってノイズを低減させる。
したがって、メモリに入れられた前フレームと、現在のフレームとを平均化するので、３次元ＮＲにおいても、３次元Ｙ／Ｃ分離と同様にフレームメモリが必要である。
【０００６】
このような３次元Ｙ／Ｃ分離と３次元ＮＲとを併用する回路として、標準信号の場合は、３次元Ｙ／Ｃ分離を行ない、ビデオの信号や信号の伝送路において何らかの障害が生じたために周波数インターリーブの関係でなくなり、非標準信号となった場合は３次元ＮＲを行なう回路が提案されている。なお、水平周波数及び垂直同期周波数と色副搬送波との関係が周波数インターリーブの関係にある場合の入力映像信号を標準信号という。（特許文献１参照）
【０００７】
また、３次元Ｙ／Ｃ分離と３次元ＮＲを併用し、動き検出回路で画像の動きを検出し、動きのない場合に、２次元Ｙ／Ｃ分離と２次元ＮＲとを行なうことが提案されている。（特許文献２参照）
【０００８】
さらに、入力映像信号のＳ／Ｎ比が劣化する場合に、動画用（２次元）Ｙ／Ｃ分離された輝度信号と色信号に対して、フレーム相関を利用してノイズリダクションを行なうことが提案されている。この場合におけるノイズリダクションは、動き量に応じて平均する時間を制御するフレーム巡回型のノイズリダクション回路である。そして、このＳ／Ｎ比が劣化する場合の劣化検出は、ユーザーが直接映像を見て判断したり、テレビジョンの受信信号の電界強度に応じて検出したりすることで行なっている。また、この切り換えのタイミングは、垂直帰線期間に行なっている。（特許文献３参照）
【特許文献１】特開２００２−３６９２１８号公報
【特許文献２】特開２０００−３２４９４号公報
【特許文献３】特開平５−１６１１５６号公報
【発明の開示】
【発明が解決しようとする課題】
【０００９】
しかしながら、特許文献１に記載の映像処理では、周波数インターリーブの関係であると、ノイズが大きくても３次元Ｙ／Ｃ分離を行なうことになる。一方で、ノイズが大きくなると３次元Ｙ／Ｃ分離を行なっても、画質はほとんど向上しない。また、この場合に、フレームメモリは、３次元Ｙ／Ｃ分離回路に使用されているので、ノイズリダクションを行なうことはできずに、画質が悪い状態のままである。
一方で、ビデオの信号や周波数インターリーブの関係でない非標準信号の場合は、ノイズリダクションが選択されるので、３次元Ｙ／Ｃ分離を行なうことはない。
【００１０】
また、特許文献２に記載の映像処理では、３次元Ｙ／Ｃ分離と３次元ノイズリダクションとを併用しており、前後のフレームを記憶するためのフレームメモリが２つ必要である。このフレームメモリは容量が大きいために、２つ必要となると回路の複雑化を招くとともに、コストアップになる。
【００１１】
特許文献３に記載の映像処理では、３次元Ｙ／Ｃ分離を行なう際に動きを検出することで、クロスカラーの低減効果を高めたり、２次元Ｙ／Ｃ分離を行なった後に、フレーム遅延回路を使用して、フレーム巡回型のノイズリダクションを行なったりしており、必ずしもメモリの節減とはなっていない。また、電子銃が下部から上部へ動く期間である垂直帰線期間に切り換えのタイミングをもってきているが、この場合は所定のタイミングでしか、３次元Ｙ／Ｃ分離と３次元ノイズリダクションの切り換えを行なうことができない。
【００１２】
本発明はこのような実情に鑑み、メモリの節減効果を高めるとともに、自動的に３次元Ｙ／Ｃ分離と３次元ノイズリダクションが切り換わることによって、高品質な画像が表示可能な映像処理装置を提供することを目的とする。
【課題を解決するための手段】
【００１３】
上記目的を達成すべく本発明は次の技術的手段を講じた。
本発明に係る映像処理装置は、ＲＦ信号が入力され、当該ＲＦ信号をＩＦ信号に変換するチューナと、チューナからのＩＦ信号が入力されるＡＧＣアンプと、ＡＧＣアンプからの出力信号が入力されるＮＴＳＣ復調器と、ＮＴＳＣ復調器からのコンポジットビデオ信号が入力されるＡ／Ｄ変換器と、Ａ／Ｄ変換器からの出力信号が入力される画質向上ブロックと、画質向上ブロックからの出力信号が入力され、当該出力信号を表示可能な映像に処理するビデオ処理ブロックと、を備えた映像処理装置において、入力されるＲＦ信号の品質に応じて、３次元Ｙ／Ｃ分離と３次元ノイズリダクションとの切り換えが自動的に行なわれ、３次元Ｙ／Ｃ分離と３次元ノイズリダクションとに使用するビデオメモリが共通化されている。
【００１４】
このような映像処理装置では、３次元Ｙ／Ｃ分離と３次元ノイズリダクションとに使用するビデオメモリが共通化されているので、容量の大きいビデオメモリを１つで済ますことができ、コストが低減する。
この際、入力されるＲＦ信号の品質に応じて３次元Ｙ／Ｃ分離と３次元ノイズリダクションとの切り換えが行なわれる。すなわち、映像信号の品質が比較的良好な場合は、３次元Ｙ／Ｃ分離を行なうことでさらに画質が向上し、入力される映像信号の品質が比較的悪い場合は、３次元Ｙ／Ｃ分離を行なってもほとんど効果がないので、３次元ノイズリダクションを行なうことで、出力映像の品質を向上することができる。
【００１５】
また、３次元Ｙ／Ｃ分離と３次元ノイズリダクションの切り換えが自動的に行なわれるので、ユーザーの手を煩わせることはなく、入力される映像信号の品質に応じた切り換えを行なうことができる。
【００１６】
本発明に係る映像処理装置では、ＲＦ信号の品質は、ＡＧＣ制御信号のレベルに基づいて検出することができる。
【００１７】
入力されるＲＦ信号は、チューナで選局されるとともに、ＩＦ信号に変換され、ＡＧＣアンプで、一定の電圧に変換される。この際、ＡＧＣアンプの利得を制御するＡＧＣ制御信号のレベルを検出し、その検出レベルに応じて、３次元Ｙ／Ｃ分離と３次元ノイズリダクションの切り換えが自動的に行なわれる。
例えば、利得を大きくするＡＧＣ制御信号が流れている場合は、ＡＧＣアンプの入力信号が弱い場合であるから、映像品質は悪いと判断でき、利得を小さくするＡＧＣ制御信号の場合は、入力信号が十分に強い場合であるから、映像品質は良いと判断できる。
【００１８】
本発明に係る映像処理装置では、ビデオメモリは、フィールドメモリであってもよい。
フレームを二つにわけたフィールドを単位としたフィールドメモリを使用して、３次元Ｙ／Ｃ分離または３次元ノイズリダクションを切り換えて行なっても、同様の作用効果が得られるからである。
【００１９】
本発明の典型的な実施形態においては、ＲＦ信号が入力され、当該ＲＦ信号をＩＦ信号に変換するチューナと、チューナからのＩＦ信号が入力されるＡＧＣアンプと、ＡＧＣアンプからの出力信号が入力されるＮＴＳＣ復調器と、ＮＴＳＣ復調器からのコンポジットビデオ信号が入力されるＡ／Ｄ変換器と、Ａ／Ｄ変換器からの出力信号が入力される画質向上ブロックと、画質向上ブロックからの出力信号が入力され、当該出力信号を表示可能な映像に処理するビデオ処理ブロックと、を備えた映像処理装置において、入力されるＲＦ信号の品質を、ＡＧＣ制御信号のレベルに基づいて検出し、当該レベルに応じて、３次元Ｙ／Ｃ分離と３次元ノイズリダクションとの切り換えが自動的に行なわれ、３次元Ｙ／Ｃ分離と３次元ノイズリダクションとに使用するビデオメモリが共通化されており、ビデオメモリがフレームメモリからなる。
【００２０】
このような映像処理装置では、３次元Ｙ／Ｃ分離と３次元ノイズリダクションとに使用するビデオメモリであるフレームメモリが共通化されているので、容量の大きいビデオメモリを１つで済ますことができ、コストが低減する。
【００２１】
また、入力される映像信号であるＲＦ信号は、チューナで選局されるとともに、ＩＦ信号に変換され、ＡＧＣアンプで、一定の電圧に変換される。この際、ＡＧＣアンプの利得を制御する制御信号のレベルを検出し、その検出レベルに応じて、３次元Ｙ／Ｃ分離と３次元ノイズリダクションの切り換えが自動的に行なわれる。
【００２２】
すなわち、入力されるＲＦ信号の品質が比較的良好な場合は、３次元Ｙ／Ｃ分離を行なうことでさらに画質が向上し、入力されるＲＦ信号が比較的悪い場合は、３次元Ｙ／Ｃ分離を行なってもほとんど効果がないので、３次元ノイズリダクションを行ない、出力映像の品質を向上させることができる。このように自動的に３次元Ｙ／Ｃ分離と３次元ノイズリダクションとの切り換えが行なわれるので、ユーザーの手を煩わせることがなく、入力される映像信号の品質に応じた切り換えを行なうことができる。
【発明の効果】
【００２３】
本発明によれば、メモリの節減効果を高めるとともに、自動的に３次元Ｙ／Ｃ分離と３次元ノイズリダクションが切り換わることによって、高品質な画像が表示可能な映像処理装置を得ることができる。
【発明を実施するための最良の形態】
【００２４】
以下、本発明の実施形態を図面を参照しつつ説明する。
図１は、第１の実施形態に係る映像処理装置のブロック図であり、図２は、映像信号処理のフローチャートである。
この映像処理装置５０において、アンテナ９から入力されたＲＦ（radio frequency）信号（無線周波数信号）は、チューナ１において選局された後、ＩＦ（intermediate frequency）信号（中間周波信号）に変換される。
【００２５】
その後、ＩＦ信号はＡＧＣ（automatic gain control）アンプ２（自動利得制御増幅器）において、一定の電圧に変換される。つまり、受信可能な電波の大きさは、地理的条件や、同じ場所でも天候や航空機の通過などによって大きさが異なるために、ＡＧＣアンプ２を通すことでＩＦ信号は一定の電圧になる。
【００２６】
さらに、ＡＧＣアンプ２の出力はＮＴＳＣ復調器３においてコンポジットビデオ信号（ＣＶＢＳ）に復調されて、ベースバンドのアナログ信号となる。
このコンポジットビデオ信号は、Ａ／Ｄ変換器４でデジタル信号に変換されて、画質向上ブロック５において、３次元Ｙ／Ｃ分離または３次元ＮＲ（ノイズリダクション）のいずれか一方が行なわれる。
【００２７】
この選択を行なうのはＣＰＵ７であり、ＡＧＣアンプ２における受信電波のノイズが所定のレベルに達した時、３次元Ｙ／Ｃ分離から３次元ＮＲへ切り換えを行なう。
なお、３次元Ｙ／Ｃ分離と、３次元ＮＲとは、共に時間軸の比較を行なうので、前の映像を記憶しておくためのビデオメモリ８が必要である。
【００２８】
図２は、ＡＧＣアンプ２およびＣＰＵ７でのレベル検出処理の一例を示した図である。ａ，ｂはチューナ１での処理、ｃはＡＧＣアンプ２およびＣＰＵ７での処理、ｄ，ｅはＮＴＳＣ復調器３での処理、ｆはＡ／Ｄ変換器４での処理、ｇ〜ｉは画質向上ブロック５およびＣＰＵ７での処理、ｊはビデオ処理ブロック６での処理を表している。
ＡＧＣアンプ２は、前述の通りチューナ１からのＩＦ信号の電圧を一定にするために、設けられている。このＡＧＣアンプ２は内部にコンパレータを内蔵しており、例えば、図３（ａ）に示すように、建物や山などの影響でアンテナ９の受信状態が悪く、チューナ１に入力される信号小さい場合、例えばＩＦ信号が１ｍＶの場合は、ＡＧＣアンプ２で電圧を上げて１Ｖの電圧を出力する。一方、図３（ｂ）に示すように、受信状態が強く、ＩＦ信号の電圧が１０Ｖの場合は、ＡＧＣアンプ２で電圧を下げて、１Ｖの電圧を出力する。このように、どのような強度の電波を受信しても、ＡＧＣアンプ２は自動的に一定の電圧を出力するようになっている。
【００２９】
実際には、ＡＧＣアンプ２に入力されるＩＦ信号は、同じ地理的条件であっても、天候や航空機の通過等によってアナログ的に変化する。そして、ＡＧＣアンプ２は、そのアナログ的に変化する出力電圧を一定にするため、電圧利得の増減を行なう。この際、ＡＧＣアンプ２には、その増減の制御を行なうためのＡＧＣ制御信号が流れる。ＡＧＣ制御信号は、入力されるＩＦ信号に対して、略線形に変化するので、この制御信号をＣＰＵ７で読み取ることにより、チューナ１が受信した信号の品質を判断できる。
【００３０】
例えば、利得が大きくなるように指令する制御信号の場合は、チューナ１が受信した信号の品質は悪いと自動的に判断することができる。また、利得が小さくなるように指令する制御信号の場合は、チューナ１が受信した信号の品質は良いと自動的に判断することができる。
したがって、ユーザーが表示される映像を見て判断し、スイッチを切り換える必要はなく、また、映像劣化を直接的、根本的に判断できる。
【００３１】
３次元Ｙ／Ｃ分離と３次元ノイズリダクションとの関係については、図２のｈ，ｉに示すように択一的なものである。アンテナ９が受信した映像信号は、所定の処理を経て映像信号であるコンポジットビデオ信号（ＣＶＢＳ）に変換され、Ａ／Ｄ変換される。
このコンポジットビデオ信号は、映像の輝度信号（Ｙ）と色信号（Ｃ）が混合されて伝送されている。そのためこのコンポジットビデオ信号を輝度信号と色信号に分離する必要がある。
【００３２】
ＮＴＳＣ方式においては、フレームにおいて、走査線（ライン）は、５２５本ある。また、通常は、インターレース方式が採用されており、１フレームは、奇数フィールドと偶数フィールドとの２つのフィールドに分けられて、フィールドごとに送られてくる。
【００３３】
このように伝送されてくるコンポジット信号における上下のラインを比較するのが２次元Ｙ／Ｃ分離である。３次元Ｙ／Ｃ分離は、この２次元Ｙ／Ｃ分離に時間軸を加えて、前のフレームと現在のフレーム間で同じ位置にあるラインの信号を比較して、高精度に輝度信号と色信号の分離を行なう。このように前フレームと現在のフレームとの比較を行なうので、３次元Ｙ／Ｃ分離では前のフレームを記憶しておくためのビデオメモリ８が必要である。
【００３４】
この３次元Ｙ／Ｃ分離を行なうと、２次元Ｙ／Ｃ分離よりも高精度に輝度信号と色信号の分離を行なうことができるので、クロスカラーやドット妨害を低減することができる。
クロスカラーやドット妨害は、表示される映像信号が比較的良好な場合に目立つので、３次元Ｙ／Ｃ分離は、図３（ｂ）に示すように受信状態が比較的よい場合に、有効な手段である。
【００３５】
逆に、図３（ａ）に示すように受信状態が悪い場合は、クロスカラーやドット妨害よりもノイズの影響の方がはるかに大きく、３次元Ｙ／Ｃ分離を行なっても画質の向上はほとんど見られない。したがって、２次元Ｙ／Ｃ分離で輝度信号と色信号の分離を行なう。
そして、３次元ノイズリダクションを行なうことで、画質の向上を図る。そのため、受信状態が悪い場合であっても、画質を向上することができる。
【００３６】
３次元ノイズリダクションは、前のフレームと現在のフレームの輝度信号と色信号とについてそれぞれ加算平均を行なうことによりノイズを低減する。この３次元ノイズリダクションは、前述したように受信した映像信号が図３（ａ）に示したように悪い場合に有効な手段である。そのため、図２のｃに示すように、ＡＧＣアンプ２で、ＶＡＧＣ（ＡＧＣ制御信号）を検出しておき、画質の良し悪しを判断する。
【００３７】
仮にＶＡＧＣが、所定の閾値より大きい（図３のｇにおいてＹＥＳ）と判断すると、ＡＧＣアンプ２において大きな利得が必要な場合であるから、元のＲＦ信号が弱い場合である。したがって、画質は悪いと判断し、２次元Ｙ／Ｃ分離と３次元ノイズリダクションとを行なう（図２のｈ）。
この３次元ノイズリダクションにおいても、前のフレームを記憶しておくための大きなビデオメモリ８が必要である。
【００３８】
一方、ＶＡＧＣが閾値より小さい（図３のｇにおいてＮＯ）と判断すると、ＡＧＣアンプ２において利得が小さい場合であるから、元のＲＦ信号が強い場合である。したがって、元の画質は比較的良いと判断し、３次元Ｙ／Ｃ分離を行なうことで更なる画質向上を図る（図２のｉ）。この場合は、既に十分に高画質であるのでノイズリダクションは行なわない。
【００３９】
したがって、本実施形態のように、３次元Ｙ／Ｃ分離と、３次元ノイズリダクションを択一的に選択することで、大きな容量が必要なビデオメモリ８を１つだけにすることできる。
【００４０】
なお、ビデオメモリ８は、フレームごとに記憶させるフレームメモリであってもよく、１フレームを奇数フィールドと偶数フィールドとの２つのフィールドに分けたフィールドを単位として記憶するフィールドメモリであってもよいが、いずれのビデオメモリ８であっても、前フレーム又は前フィールドのみの記憶とする。メモリ消費量をできるだけ少なくすることができるからである。
【００４１】
これまで２つのビデオメモリ８を使用して、３次元Ｙ／Ｃ分離を行ない、さらに３次元ノイズリダクションを行なっても、受信した映像信号が悪い場合は、３次元Ｙ／Ｃ分離を行なうことによる画質の向上はほとんど見られなかった。したがって、本実施形態のようにビデオメモリ８の共通化を図って１つのビデオメモリ８とし、入力される映像信号に対して、３次元Ｙ／Ｃ分離と３次元ノイズリダクションの切り換えを行なっても、３次元Ｙ／Ｃ分離と３次元ノイズリダクションの両方を同時に行なう場合と略同様の映像品質向上効果が得られる。
つまり、本実施形態においても元の映像信号が悪い場合は、映像品質を十分に向上できるとともに、元の映像信号が良い場合は、さらなる品質向上を図ることができる。
【００４２】
また、この３次元Ｙ／Ｃ分離と３次元ノイズリダクションとの切り換え操作は、入力される映像信号に基づいて自動的に判別できるので、ユーザーの手を煩わせることもない。
以上のように、アンテナ９から入力された映像信号に応じた処理が択一的かつ自動的に選択されて画質向上が図られるともに、コストの低減を図ることができる。
【００４３】
図４は、本発明の第２の実施形態に係る映像処理装置のブロック図である。
外部の映像録画機器１０（ＤＶＤレコーダ、ＶＴＲなど）の出力が、ＲＦ信号の場合は、図４における矢印Ａから入力され、コンポジット信号（ＣＶＢＳ）の場合は、図４に示す矢印Ｂから入力される。そして、入力信号がＲＦ信号とコンポジット信号のいずれであるかの情報を矢印ＣからＣＰＵ７に入力する。
【００４４】
この場合は、チューナ１に選局の役割はなく、チューナ１はＲＦ信号をＩＦ信号（中間周波信号）に変換する役割のみを果たす。ＲＦ信号が入力される場合は、第１の実施形態と同様に択一的かつ自動的に３次元Ｙ／Ｃ分離または３次元ノイズリダクションの映像処理が行なわれる。
映像録画機器１０の出力が、比較的良好な場合、例えばＤＶＤからの出力の場合はコンポジットビデオ信号を直接入力して、３次元Ｙ／Ｃ分離のみを行なわせる。
なお、映像録画機器１０の入力信号をコンバータにより変換させ、全てＲＦ信号としても良い。この場合は、３次元Ｙ／Ｃ分離と３次元ノイズリダクションを択一的に行なうことができる。
【図面の簡単な説明】
【００４５】
【図１】第１の実施形態に係る映像処理装置のブロック図である。
【図２】映像信号処理のフローチャートである。
【図３】ＡＧＣアンプおよびＣＰＵでのレベル検出処理の一例を示した図である。
【図４】第２の実施形態に係る映像処理装置のブロック図である。
【符号の説明】
【００４６】
１    チューナ
２    ＡＧＣアンプ
３    ＮＴＳＣ復調器
４    Ａ／Ｄ変換器
５    画質向上ブロック
６    ビデオ処理ブロック
７    ＣＰＵ
８    ビデオメモリ
５０  映像処理装置
【図１】
2008227853.tif 000003
【図２】
2008227853.tif 000004
【図３】
2008227853.tif 000005
【図４】
2008227853.tif 000006